(57)【特許請求の範囲】
【請求項１】
上下方向に積層された衛生用紙を収納する衛生用紙収納箱において、
前記衛生用紙を囲う周壁と、
前記周壁の下端を塞いで前記衛生用紙を支持する底壁と、
前記底壁に対向して設けられ前記周壁の上端を塞ぐ上壁と、
前記上壁に設けられ前記衛生用紙を取り出すための取り出し口と、
前記底壁の一部を切り起こしてなる切り起こし片であって、衛生用紙収納箱の設置面に対して前記底壁、前記周壁および前記上壁を傾斜させて支持する、対向する１対の支持脚と、
前記底壁の一部を切り起こしてなる切り起こし片であって、前記１対の支持脚の間に設けられ前記１対の支持脚を一体的に保持する保持部と、を有し、
前記支持脚には、前記設置面に選択的に接地され、且つ、互いに異なる傾斜角で前記底壁、前記周壁および前記上壁を傾斜させる複数の接地部が設けられていることを特徴とする衛生用紙収納箱。
【請求項２】
長方形状の前記底壁および長方形状の前記上壁を有する直方体状の紙箱であることを特徴とする請求項１に記載の衛生用紙収納箱。
【請求項３】
前記底壁の内側には、前記支持脚を切り起こすことで形成される切り起こし穴を塞ぐカバーが設けられることを特徴とする請求項１又は２に記載の衛生用紙収納箱。
【発明の詳細な説明】
【技術分野】
【０００１】
本発明は、衛生用紙収納箱に関し、特に、上下方向に積層された衛生用紙を収納する衛生用紙収納箱に関する。
【背景技術】
【０００２】
ティッシュペーパー等の衛生用紙を上下方向に積層して収納箱に収納してなる箱入り衛生用紙が広く利用されている。従来、この種の箱入り衛生用紙において、各種の収納箱が知られている（例えば、特許文献１参照）。
【０００３】
図１５（ａ）は、従来の衛生用紙収納箱の基本構成を示す図であり、衛生用紙収納箱１００では、フィルム１０１を上壁１０２に設け、このフィルム１０１にスリット状の取り出し口１０３を設ける。衛生用紙１０４は、交互に折り畳まれて上下方向（矢印（１０）で示す向き）に積層された形態で衛生用紙収納箱１００に収納される。この衛生用紙収納箱１００では、取り出される最上部の衛生用紙１０４と共に次の衛生用紙１０４の一部が取り出し口１０３から外に出る（連続的にポップアップされる）ようになっている。
【０００４】
ところで、ポップアップされた衛生用紙は、上向きに引き出されて使用されるのが一般的であるが、使用者の姿勢によっては、上向きに引き出されない場合がある。例えば、ベッドに長時間拘束される使用者が、ベッドに寝たまま衛生用紙を取る場合、ベッドの横に置いた衛生用紙収納箱に手を伸ばして、ポップアップされた衛生用紙を、衛生用紙収納箱の設置面に対して略平行な向き（以下、「水平向き」という）に引っ張ることがある。
【先行技術文献】
【特許文献】
【０００５】
【特許文献１】特開２０１２−６２０９２号公報
【発明の概要】
【発明が解決しようとする課題】
【０００６】
従来の衛生用紙収納箱１００において、衛生用紙１０４を上向き（例えば、矢印（１１）で示す鉛直上向き）に引き出す場合、引き出す向きが衛生用紙１０４の積層方向（矢印（１０）で示す向き）と合うため、衛生用紙１０４を円滑に引き出すことができる。しかし、図１５（ｂ）に示すように、水平向き（矢印（１２）で示す向き）に衛生用紙１０４を引き出す場合は、衛生用紙１０４の積層方向に対して、引き出す向きが直角に向くため、衛生用紙１０４は、取り出し口１０３を大きく廻り込むようにして引き出される。このため、従来の衛生用紙収納箱１００では、取り出し口１０３やその周辺部において、大きな負荷が衛生用紙１０４に加わり、衛生用紙１０４が取り出しにくいという問題があった。
【０００７】
そこで、衛生用紙１０４の水平向きの引き出し性を改善する策として、衛生用紙収納箱１００に各種のホルダーを装着することにより、衛生用紙収納箱１００の向きを変えることが考えられる。しかし、この場合、ホルダーを装着する手間がかかり、コストも嵩む。
【０００８】
本発明は、このような事情に鑑みてなされたものであり、その目的は、安価で且つ簡単な構成で、水平向きに衛生用紙を円滑に引き出すことができる衛生用紙収納箱を提供することにある。
【課題を解決するための手段】
【０００９】
このような目的を達成するため、本発明は、以下の構成によって把握される。
本発明の衛生用紙収納箱は、上下方向に積層された衛生用紙を収納する衛生用紙収納箱において、前記衛生用紙を囲う周壁と、前記周壁の下端を塞いで前記衛生用紙を支持する底壁と、前記底壁に対向して設けられ前記周壁の上端を塞ぐ上壁と、前記上壁に設けられ前記衛生用紙を取り出すための取り出し口と、前記底壁の一部を切り起こしてなる切り起こし片であって、衛生用紙収納箱の設置面に対して前記底壁、前記周壁および前記上壁を傾斜させて支持する支持脚と、を有することを特徴とする。
【００１０】
この構成により、底壁、周壁および上壁が、衛生用紙収納箱の設置面に対して傾斜するので、衛生用紙の積層方向を鉛直線に対して傾斜させることができる。これにより、水平向きに衛生用紙を引き出す場合、衛生用紙を引き出す側（使用者側）に衛生用紙の積層方向を傾斜させることができるため、取り出し口およびその周辺において衛生用紙に加わる負荷を低減することができる。結果、水平向きに衛生用紙を円滑に引き出すことができる。また、底壁の一部を切り起こしてなる切り起こし片で支持脚を構成したので、衛生用紙収納箱を傾斜させるためのホルダーを別途必要としない。したがって、安価で且つ簡単な構成で、水平向きに衛生用紙を円滑に引き出すことができる。
【００１１】
上記発明の衛生用紙収納箱は、長方形状の前記底壁および長方形状の前記上壁を有する直方体状の紙箱であることを特徴とする。
【００１２】
この構成により、一般に広く普及している直方体状の紙箱において、水平向きに衛生用紙を円滑に引き出すことができる。
【００１３】
上記発明の衛生用紙収納箱は、対向する１対の前記支持脚と、前記底壁の一部を切り起こしてなる切り起こし片であって前記１対の支持脚の間に設けられ前記１対の支持脚を一体的に保持する保持部と、を有することを特徴とする。
【００１４】
この構成により、保持部によってしっかりと保持された１対の支持脚を得ることができる。したがって、底壁、周壁および上壁を安定的に傾斜させることができる。
【００１５】
上記発明の衛生用紙収納箱は、前記底壁の内側には、前記支持脚を切り起こすことで形成される切り起こし穴を塞ぐカバーが設けられることを特徴とする。
【００１６】
この構成により、底壁に形成される切り起こし穴をカバーによって塞ぐことができるので、切り起こし穴から塵や埃が入ることを防止でき、衛生用紙の衛生性を保つことができる。
【００１７】
上記発明の衛生用紙収納箱は、前記支持脚には、前記設置面に選択的に接地され、且つ、互いに異なる傾斜角で前記底壁、前記周壁および前記上壁を傾斜させる複数の接地部が設けられることを特徴とする。
【００１８】
この構成により、使用者が衛生用紙収納箱の傾斜角を選択できるので、利便性の高い衛生用紙収納箱を得ることができる。
【００１９】
上記発明の衛生用紙収納箱は、前記底壁の１対の短辺部のうち、一方の短辺部を前記設置面に接地させると共に他方の短辺部を前記設置面から浮かせて、前記底壁、前記周壁および前記上壁を傾斜させたことを特徴とする。
【００２０】
この構成により、幅の狭いスペースに衛生用紙収納箱を置く場合においても、衛生用紙を水平向きに円滑に引き出すことができる。
【発明の効果】
【００２１】
本発明によれば、安価で且つ簡単な構成で、水平向きに衛生用紙を円滑に引き出すことができる衛生用紙収納箱を提供することができる。
【図面の簡単な説明】
【００２２】
【図１】本発明に係る第１実施形態の衛生用紙収納箱の斜視図である。
【図２】第１実施形態の衛生用紙収納箱を底壁側から見た斜視図である。
【図３】図２のＡ−Ａ線断面図である。
【図４】衛生用紙収納箱の展開図であり、シートの裏面図である。
【図５】図４のＢ部拡大図である。
【図６】支持脚の組み立て方法を説明する図である。
【図７】支持脚の作用を説明する図である。
【図８】第２実施形態の衛生用紙収納箱に用いるシートの裏面図であり、図４に対応する図である。
【図９】第２実施形態の衛生用紙収納箱の断面図であり、図３に対応する図である。
【図１０】第３実施形態の衛生用紙収納箱に用いるシートの裏面図であり、図４に対応する図である。
【図１１】第３実施形態の衛生用紙収納箱の断面図であり、図３に対応する図である。
【図１２】第４実施形態の衛生用紙収納箱の断面図であり、図３に対応する図である。
【図１３】第４実施形態の衛生用紙収納箱の作用説明図である。
【図１４】第５実施形態の衛生用紙収納箱を底壁側から見た斜視図である。
【図１５】従来の衛生用紙収納箱を説明する図であり、（ａ）は基本構成を説明する図、（ｂ）は作用説明図である。
【発明を実施するための形態】
【００２３】
以下、添付図面を参照して、本発明を実施するための形態（以下、実施形態）について詳細に説明する。なお、実施形態の説明の全体を通して同じ要素には同じ番号を付している。また、図面は、符号の向きに見るものとする。また、実施形態において、「上」、「下」、「左」、「右」は、各々、使用者が衛生用紙収納箱を見たときの方向を示し、「前」、「後」は、各々、使用者が衛生用紙収納箱を見たときの「手前側」、「奥側」を示す。
【００２４】
（第１実施形態）
第１実施形態の衛生用紙収納箱について説明する。図１は、第１実施形態の衛生用紙収納箱の斜視図である。
【００２５】
図１に示すように、第１実施形態の衛生用紙収納箱１０は、上下方向に積層された衛生用紙１１を収納するものであって、周壁１２、底壁１３、上壁１５、取り出し口１６および１対の支持脚１７を有する。この例では、衛生用紙収納箱１０は、長方形状の底壁１３および長方形状の上壁１５を有する直方体状の紙箱であり、紙製のシート１８（図４参照）を折り曲げることで組み立てられる。なお、シート１８（図４参照）の構成および衛生用紙収納箱１０の組み立て方法については、後述する。
【００２６】
衛生用紙収納箱１０では、取り出し口１６から衛生用紙１１を連続的にポップアップできるようになっている。衛生用紙１１は、ティッシュペーパー、ペーパータオル(キッチンタオル、キッチンシート、あくとりシートと呼ばれる主にキッチンで使用されるペーパーを含む)、ハンドタオル、トイレットペーパー（ロールを除く）、ワッティング(紙綿)などの各種の使い捨て紙である。本発明において「衛生用紙」とは、これらの使い捨て紙の総称である。一般に、「ティッシュペーパー」は、様々な用途に使用されるが、主として顔周りの拭き取りを目的とした、鼻かみ、化粧落とし、口拭きなどのための、吸水性のある衛生用紙である。また、「ペーパータオル」は、ふきん、タオルの代用品としてパルプ繊維を主原料として製造される衛生用紙であり、このうち、主にキッチンにおいて使用されるものをキッチンペーパーと称している。
【００２７】
衛生用紙１１は、交互に折り畳まれて上下方向に積層され、直方体状の用紙束を構成する。例えば、衛生用紙１１を正方形または長方形に形成し、２つ折りにした衛生用紙１１を向き合わせる共に互いの半部を挟み合わせて、所定枚数の衛生用紙１１を底壁１３から上壁１５に渡って積層する。
【００２８】
周壁１２は、左右方向に長い長方形状の前壁２１と、前壁２１に対向して設けられ前壁２１と同一形状の後壁２２と、前後方向に長い長方形状に形成され前壁２１および後壁２２を連結する左右の側壁２３とからなり、衛生用紙１１を囲う。各側壁２３には、例えば特許４５３７３３０号公報に記載される技術を用いて解体用破断線２５を設け、解体用破断線２５に沿って側壁２３を破断することにより、使用後の衛生用紙収納箱１０を容易に折り畳めるようにしてもよい。なお、実施形態において、「破断線」は、紙を破断するための切り込みであって、いわゆるミシン目やジッパーを含む。
【００２９】
底壁１３は、周壁１２の下端を塞いで衛生用紙１１を支持するものである。支持脚１７を含む底壁１３の詳しい構成については、後述する。
【００３０】
上壁１５は、底壁１３に対向して設けられ周壁１２の上端を塞ぐ。上壁１５には、開口用破断線２６によって開口用切除部２７が設けられる。この開口用切除部２７は、上壁１５の長辺に沿って細長く形成される。開口用切除部２７の長手方向両端部には、押圧用破断線２８によって円形状の押圧部３１を設けてもよい。押圧部３１を設けることにより、使用者は、押圧部３１を押圧して差し込み穴を形成し、この差し込み穴に指を差し込んで引き上げることで開口用切除部２７を容易に切除することができる。
【００３１】
また、上壁１５の裏面には、合成樹脂等からなるフィルム（例えば、ポリエチレン製の透明フィルム）３２が貼り付けられる。フィルム３２の代わりに紙や不織布も使用することができる。この例では、フィルム３２は、長方形状に形成され、開口用切除部２７の外形よりも大きな外形に形成される。フィルム３２は、開口用切除部２７が切除されたとき、上壁１５に形成される開口部を塞ぐ作用をなす。
【００３２】
取り出し口１６は、上壁１５に設けられ衛生用紙１１を取り出すためのものであり、ここでは、フィルム３２にスリット状に形成される。取り出し口１６は、フィルム３２の長手方向に沿って設けられる。使用者は、開口用切除部２７を切除することにより取り出し口１６を露出させ、この露出した取り出し口１６から衛生用紙１１を取り出すことができる。
【００３３】
次に、支持脚１７を含む底壁１３の構成を図２、図３に基づいて説明する。
図２に示すように、１対の支持脚１７は、それぞれ、底壁１３の一部を切り起こしてなる切り起こし片である。１対の支持脚１７は、底壁１３の左右方向中心に対して左右対称に形成され、切り起こされて互いに対向する。各支持脚１７は、前壁２１（図１参照）側に先細る形状を呈し、底壁１３、周壁１２および上壁１５を傾斜させて支持する。この例では、底壁１３の前側の長辺部３３、１対の支持脚１７の各接地部３５の合計３箇所が設置面に接する。
【００３４】
また、底壁１３は、１対の支持脚１７の間に設けられる保持部３７を有する。保持部３７は、底壁１３の一部を切り起こしてなる切り起こし片であって、左右２つの半円を２本の直線で結んだ長円状を呈する。保持部３７の左右両端部には、スリット３８が設けられる。保持部３７は、左右のスリット３８を左右の支持脚１７に差し込ませることで、左右１対の支持脚１７を一体的に連結・保持する。
【００３５】
なお、底壁１３には、マグネットバー用切除片４１を設けてもよい。マグネットバー（図示省略）は、冷蔵庫の壁面など磁性体からなる各種物品の表面に衛生用紙収納箱１０を取り付けるための部品である。マグネットバーの取り付けに際しては、マグネットバー用切除片４１を破断線に沿って切除して取り付け穴を開口させ、この取り付け穴にマグネットバーの両端部を差し込むようにする。
【００３６】
続いて、衛生用紙収納箱１０の傾斜角の好適な範囲について述べる。
図３に示すように、衛生用紙収納箱１０を傾斜させる角度（設置面３６に対する底壁１３の傾斜角θ）は、小さすぎると十分な傾斜の効果が得られず、水平向きに衛生用紙１１を円滑に引き出すことが難しい場合がある。一方、傾斜角θが大きすぎると、衛生用紙１１を水平向きに引き出したときに衛生用紙収納箱１０が転倒する場合がある。なお、ここで、「水平向き」とは、衛生用紙収納箱１０の設置面３６に対して略平行な向きをいう）
【００３７】
そこで、本発明者は、傾斜角θを変化させて衛生用紙収納箱１０の性能を評価し、傾斜角θの好適な範囲を調べた。結果、水平向きに衛生用紙１１を良好に引き出すためには、傾斜角θを３０°以上に設定することが好適であることが分かった。また、衛生用紙１１を収納した状態における衛生用紙収納箱１０の転倒角度は、約６０°であるが、衛生用紙１１を引き出すときに衛生用紙収納箱１０に加わる負荷（約３０〜２００ｇｆ）、および、衛生用紙１１の使用に伴って自重が減っていくことを考慮すると、傾斜角θは、６０°よりも小さく設定することが望ましく、より好適には、４５°以下に設定することが望ましいことが分かった。まとめると、傾斜角θは、３０°〜４５°の範囲に設定することが好適であると言える。
【００３８】
次に、衛生用紙収納箱１０を構成するシートを図４、図５に基づいて説明する。
図４に示すように、シート１８は、紙製の長尺シートを所定の形状に打ち抜いたブランクであって、木材パルプなどを原料とする板紙や段ボールなどで構成される。シート１８は、縦罫線４３を介して、前壁２１、上壁１５、後壁２２および底壁１３を順次連ねたものである。前壁２１および後壁２２のそれぞれには、横罫線４５を介して内フラップ４６が設けられる。また、底壁１３には、横罫線４５を介して第１外フラップ４７が設けられ、底壁１３の側端には、継ぎ代５１が形成される。さらに、上壁１５には、横罫線４５を介して第２外フラップ４８が設けられる。解体用破断線２５は、この第２外フラップ４８に形成される。
【００３９】
図５に示すように、支持脚１７は、底壁１３の短辺に沿って形成される第１罫線５２と、この第１罫線５２の後端に直角に連なり支持脚１７の後縁を形成する第１破断線５３と、第１破断線５３の側端から前方且つ中央寄りに延びて支持脚１７の接地部３５（図２参照）を形成する第２破断線５５と、第２破断線５５の前端と第１罫線５２を円弧状に結んで支持脚１７の前縁を形成する第３破断線５６とによって形成される。
【００４０】
保持部３７は、２本の第１罫線５２を結ぶ第２罫線５７を有する。第２罫線５７の左右両端には、支持脚１７の基部を半円状に切り欠くように形成される半円状の第４破断線５８が連なる。左右の第４破断線５８は、第２罫線５７と平行に延びる第５破断線６１によって連結される。
【００４１】
スリット３８は、第４破断線５８と第５破断線６１が交差する点から第１罫線５２に沿って、前方に向けて形成される切り込みである。
【００４２】
ここで、衛生用紙収納箱１０の組み立て方法を図４〜図６に基づいて説明する。
図４に示すように、まず、シート１８の縦罫線４３に沿って、前壁２１、上壁１５、後壁２２および底壁１３を折り曲げ、前壁２１の裏面に継ぎ代５１を接着剤で接合する。これにより、両端部が開放した角筒状の箱が形成される。次に、この角筒状の箱の中に衛生用紙１１（図１参照）の用紙束を挿入した後、内フラップ４６、第１外フラップ４７、第２外フラップ４８を順次折り曲げ、第２外フラップ４８の裏面を第１外フラップ４７に接着剤で接合する。すると、角筒状の箱の開放部が閉じられ、衛生用紙１１（図１参照）を収納した直方体状の衛生用紙収納箱１０（図１参照）が得られる。
【００４３】
衛生用紙収納箱１０（図１参照）を傾斜させて使用するときは、図５に示すように、使用者は、第１〜第３破断線５３，５５，５６を破断しながら第１罫線５２にて支持脚１７を折り曲げた後、第４・第５破断線５８，６１を破断しながら第２罫線５７にて保持部３７を折り曲げる。
【００４４】
このとき、第４破断線５８によって、図６に示すように、支持脚１７には、半円状の切り欠き６２が形成される。この切り欠き６２の縁に沿わせながら、第２罫線５７を基点として保持部３７を回動させる。そして、切り欠き６２の縁にスリット３８をしっかりと嵌め込む。すると、１対の支持脚１７が保持部３７によって一体的に連結・保持される。
【００４５】
以上、説明した衛生用紙収納箱１０の作用・効果を図７に基づいて説明する。
図７に示すように、支持脚１７を用いて衛生用紙収納箱１０を傾斜させることより、衛生用紙１１の積層方向（矢印（１）で示す向き）を鉛直線に対して傾斜させることができる。このため、水平向き（矢印（２）で示す向き）に衛生用紙１１を引き出す場合、衛生用紙１１を引き出す側（使用者側に）に衛生用紙１１の積層方向（矢印（１））を傾斜させることができる。これにより、引き出す向き（矢印（２））と衛生用紙１１の積層方向（矢印（１））とがなす角度Ｐを鋭角にすることができるため、取り出し口１６およびその周辺（フィルム３２や開口部６３など）において、衛生用紙１１に加わる負荷を従来の収納箱に比べて格段に低減することができる。結果、衛生用紙１１を水平向きに円滑に引き出すことができる。
【００４６】
また、底壁１３の一部を切り起こしてなる切り起こし片で支持脚１７を構成したので、衛生用紙収納箱１０を傾斜させるためのホルダーを別途必要としない。したがって、安価で且つ簡単な構成で、衛生用紙１１を水平向きに円滑に引き出すことができる。
【００４７】
さらに、一般に広く普及している直方体状の紙箱において、衛生用紙１１を水平向きに円滑に引き出すことができる。
【００４８】
加えて、１対の支持脚１７が保持部３７により一体的に連結・保持されるので、底壁１３、周壁１２および上壁１５を安定的に傾斜させることができる。
【００４９】
（第２実施形態）
次に、第２実施形態の衛生用紙収納箱を図８、図９に基づいて説明する。なお、前述した第１実施形態に係る衛生用紙収納箱１０と共通する部位には同じ符号を付して、重複する説明を省略することとする（第３〜第５実施形態についても同様）。
【００５０】
前述した第１実施形態においては、支持脚１７および保持部３７を切り起こすことで、底壁１３には、切り起こし穴６５（図６参照）が形成される。第２実施形態では、底壁１３の内側に設けられるカバーによって、この切り起こし穴６５（図６参照）を塞ぐようにした。
【００５１】
すなわち、第２実施形態では、図８に示すように、シート１８Ｂにおいて、前壁２１と底壁１３を接合するための継ぎ代５１Ｂを前壁２１側に設け、この継ぎ代５１Ｂをさらに延長して、切り起こし穴６５（図６参照）を塞ぐカバー６６Ｂを形成した。カバー６６Ｂの外形は、任意の形状から選択可能であるが、ここでは、マグネットバー用切除片４１にカバー６６Ｂが重ならないように、継ぎ代５１Ｂから離れるに従って幅が大きくなる台形状に形成した。
【００５２】
図９に示すように、この第２実施形態の衛生用紙収納箱１０Ｂによれば、前述した第１実施形態の衛生用紙収納箱１０と同様の作用効果が得られることに加え、さらに、切り起こし穴６５をカバー６６Ｂによって塞ぐことができる。これにより、切り起こし穴６５から塵や埃が入ることを防止でき、衛生用紙１１の衛生性を保つことができる。
【００５３】
（第３実施形態）
次に、第３実施形態の衛生用紙収納箱を図１０、図１１に基づいて説明する。前述した第２実施形態では、切り起こし穴６５（図９参照）を塞ぐカバーを継ぎ代に一体形成したが、別部品のカバーで切り起こし穴６５（図９参照）を塞いでもよい。
【００５４】
例えば、図１０に示すように、第３実施形態では、シート１８の裏面において、支持脚１７および保持部３７を覆うフィルム製のカバー６６Ｃを設けた。カバー６６Ｃは、各種の材料から選択可能であるが、取り出し口１６のフィルム３２と同一の合成樹脂材料で構成することが好適である。
【００５５】
図１１に示すように、この第３実施形態の衛生用紙収納箱１０Ｃによれば、切り起こし穴６５をカバー６６Ｃによって塞ぐことができるため、前述した第２実施形態の用衛生用紙収納箱１０Ｂと同様の作用効果が得られる。さらに、薄いフィルムでカバー６６Ｃを構成できるので、資材の減量化を図ることができる。
【００５６】
（第４実施形態）
次に、第４実施形態の衛生用紙収納箱を図１２、図１３に基づいて説明する。前述した第１実施形態の衛生用紙収納箱１０では、得られる傾斜角は１つであるが、この他、傾斜角を複数設定し、複数の傾斜角から使用者が好適な傾斜角を選択できるようにしてもよい。
【００５７】
例えば、図１２に示すように、第４実施形態の衛生用紙収納箱１０Ｄでは、設置面３６に選択的に接地され、且つ、互いに異なる傾斜角θ１，θ２で衛生用紙収納箱１０Ｄを傾斜させる複数の接地部６７，６８を支持脚１７Ｄに設けた。より詳細には、支持脚１７Ｄの前後方向の一側に、第１傾斜角θ１を得るための第１接地部６７を設け、支持脚１７Ｄの前後方向の他側に、第２傾斜角θ２を得るための第２接地部６８を設けるようにした。ここでは、第２傾斜角θ２の大きさを第１傾斜角θ１よりも大きく設定する。例えば、第１傾斜角θ１を３０°程度とし、第２傾斜角θ２を４０°程度に設定することができる。支持脚１７Ｄをこのように構成することにより、使用者は、第１接地部６７を用いて衛生用紙収納箱１０Ｄを第１傾斜角θ１だけ傾斜させることができる一方、図１３に示すように、第２接地部６８を用いて衛生用紙収納箱１０Ｄを第２傾斜角θ２だけ傾斜させることもできる。
【００５８】
この第４実施形態の衛生用紙収納箱１０Ｄによれば、前述した第１実施形態の衛生用紙収納箱１０と同様の作用効果が得られることに加え、さらに、使用者が衛生用紙収納箱１０Ｄの傾斜角を選択できるので、利便性の高い衛生用紙収納箱１０Ｄを得ることができる。
【００５９】
（第５実施形態）
次に、第５実施形態の衛生用紙収納箱を図１４に基づいて説明する。
前述した第１実施形態では、底壁の長辺部３３（図２参照）を支持点として、直方体状の衛生用紙収納箱１０（図２参照）を傾斜させたが、この他、底壁の短辺部を支持点として、直方体状の衛生用紙収納箱を傾斜させてもよい。
【００６０】
例えば、図１４に示すように、第５実施形態の衛生用紙収納箱１０Ｅでは、１対の支持脚１７Ｅを底壁１３Ｅの短辺方向に並べる。そして、底壁１３Ｅの１対の短辺部７１，７２のうち、一方の短辺部７１を設置面に接地させると共に他方の短辺部７２を設置面から浮かせて、底壁１３Ｅ、周壁１２および上壁１５を傾斜させる。これにより、底壁１３Ｅの一方の短辺部７１および１対の支持脚１７Ｅにより、直方体状の衛生用紙収納箱１０Ｅを傾斜させるようにした。なお、第５実施形態において、左右の側壁２３Ｅは、第１実施形態に係る前壁２１（図１参照）、後壁２２（図１参照）に相当し、前壁２１Ｅ、後壁２２Ｅは、第１実施形態に係る左右の側壁２３（図１参照）に相当する。
【００６１】
この第５実施形態の衛生用紙収納箱１０Ｅによれば、前述した第１実施形態の衛生用紙収納箱１０と同様の作用効果が得られることに加え、幅の狭いスペースに衛生用紙収納箱１０Ｅを置く場合においても、衛生用紙１１を水平向きに円滑に引き出すことができる。
【００６２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００６３】
例えば、第１〜第５実施形態では、衛生用紙収納箱１０，１０Ｂ〜Ｅを示したが、本発明の衛生用紙収納箱は、これらの実施形態を適宜組み合わせたものであってもよい。
【符号の説明】
【００６４】
１０，１０Ｂ〜Ｅ  衛生用紙収納箱
１１  衛生用紙
１２  周壁
１３，１３Ｅ  底壁
１５  上壁
１６  取り出し口
１７，１７Ｄ，１７Ｅ  支持脚
３６  設置面
３７  保持部
６６Ｂ，６６Ｃ  カバー
６７  第１接地部（接地部）
６８  第２接地部（接地部）
７１  一方の短辺部
７２  他方の短辺部
θ１  第１傾斜角（傾斜角）
θ２  第２傾斜角（傾斜角）
【図１】
0005933341.tif 000002
【図２】
0005933341.tif 000003
【図３】
0005933341.tif 000004
【図４】
0005933341.tif 000005
【図５】
0005933341.tif 000006
【図６】
0005933341.tif 000007
【図７】
0005933341.tif 000008
【図８】
0005933341.tif 000009
【図９】
0005933341.tif 000010
【図１０】
0005933341.tif 000011
【図１１】
0005933341.tif 000012
【図１２】
0005933341.tif 000013
【図１３】
0005933341.tif 000014
【図１４】
0005933341.tif 000015
【図１５】
0005933341.tif 000016